(57)【要約】
【課題】  大型のプラグを差し込んでも、隣接する差込口が遮蔽されることが無く、全ての差込口を使用できる多穴コンセントを提供すること。
【解決手段】  座体１内に第１の導電端子１２及び第２の導電端子１３を配置し、座体１上に複数のコンセントユニット２を回動自在に取り付け、コンセントユニット２に一組の差込口２５を設け、各差込口２５の奥部に第１の差込片２２及び第２の差込片２３を設置し、第１の差込片２２及び第２の差込片２３をそれぞれ第１の導電端子１２及び第２の導電端子１３に、コンセントユニット２と連動して回動するよう軸着する。
【選択図】          図１
0003101067.tif 000002
【実用新案登録請求の範囲】
【請求項１】
座体と、該座体上に設けられた複数のコンセントユニットとを備え、前記座体の内部に活線となる第１の導電端子及び接地線となる第２の導電端子を配置し、前記コンセントユニットの内、少なくとも隣接するものの一方を座体に対して回動自在とし、前記コンセントユニットに一組の差込口を設け、各差込口の奥部に第１の差込片及び第２の差込片を設置し、これら第１の差込片及び第２の差込片を、それぞれ前記第１の導電端子及び第２の導電端子に電気的に接続し、前記回動自在なコンセントユニットに設けた第１の差込片及び第２の差込片は、前記コンセントユニットと連動して回動するよう、前記第１の導電端子及び第２の導電端子に軸着したことを特徴とする多穴コンセント。
【考案の詳細な説明】
【技術分野】
【０００１】
本考案は、回転式のコンセントユニットを備えた多穴コンセントに関する。
【背景技術】
【０００２】
通常の多穴コンセントは、図７に示すように、座体Ａ１の表面に複数組の差込口Ａ２が等間隔に配置されて成り、各組の差込口Ａ２間の間隔は、一般的な家電製品のプラグを差し込んで使用する場合、プラグどうしが互いに干渉することなく差し込むことができるよう設計されている。
しかし、変圧器のプラグのような大型のプラグＢを差し込むと、隣接する別の差込口Ａ２を塞いでしまい、塞がれた差込口Ａ２を使用することができなくなってしまう。
そこで、差込口Ａ２間の距離を広げると、座体Ａ１の長さも増加し、コンセント全体が大型化して製造コストが高く付くばかりか、嵩張って使用上も不便である。
【考案の開示】
【考案が解決しようとする課題】
【０００３】
本考案が解決しようとする課題は、大型のプラグを差し込んでも、隣接する差込口が遮蔽されることが無く、全ての差込口を使用できる多穴コンセントを提供することにある。
【課題を解決するための手段】
【０００４】
本考案の多穴コンセントは、座体と、該座体上に設けられた複数のコンセントユニットとを備え、前記座体の内部に活線となる第１の導電端子及び接地線となる第２の導電端子を配置し、前記コンセントユニットの内、少なくとも隣接するものの一方を座体に対して回動自在とし、前記コンセントユニットに一組の差込口を設け、各差込口の奥部に第１の差込片及び第２の差込片を設置し、これら第１の差込片及び第２の差込片を、それぞれ前記第１の導電端子及び第２の導電端子に電気的に接続し、前記回動自在なコンセントユニットに設けた第１の差込片及び第２の差込片は、前記コンセントユニットと連動して回動するよう、前記第１の導電端子及び第２の導電端子に軸着してある。
【考案の効果】
【０００５】
本考案によれば、コンセントユニットを回動させることにより、差込口及びその奥部に配置された差込片に対する差込角度を変えることができるので、プラグを様々な角度からコンセントユニットに差し込んで接続することが可能であり、このため、大型のプラグを差し込んでも隣接するコンセントユニットの差込口が遮蔽されることが無く、全てのコンセントユニットの差込口を有効に利用することができる。
【考案を実施するための最良の形態】
【０００６】
以下、本考案の実施例を図面に基づいて詳細に説明する。
【実施例１】
【０００７】
図１乃至図４は、実施例１を示す。
多穴コンセントは、図１に示すように、座体１と、座体１上に取り付けられた複数の（図に示す例では３個の）コンセントユニット２とを備える。
座体１は絶縁材を素材として細長箱状に形成され、座体１の上面には、上方及び前後側に開口した凹部１１が適宜間隔毎に形成される。
凹部１１は、コンセントユニット２を嵌合できる大きさとし、凹部１１の数はコンセントユニット２と同数とする。
【０００８】
座体１の内部には、活線となる第１の導電端子１２及び接地線となる第２の導電端子１３が長手方向に沿って、且つ、凹部１１の下方を横切るように配置されている。
また、各凹部１１と対応する位置において、第１の導電端子１２及び第２の導電端子１３には、それぞれ上方に突出した接続端１２１，１３１が形成されている。
さらに、第１の導電端子１２及び第２の導電端子１３は電源線の一端に接続され、電源線の他端には電源プラグ１４が装着されている。
【０００９】
コンセントユニット２には一組の差込口２５が形成され、図２に示すように、コンセントユニット２の内部には、差込口２５の奥部両側に配置されるように複数の位置決め片２１が形成される。また、各差込口２５の奥部にそれぞれ配置された導電素材より成る第１の差込片２２及び第２の差込片２３が位置決め片２１に取り付けられている。
また、コンセントユニット２の両側面を貫通する透孔２４が、一組の差込口２５の奥端部を繋ぐように形成されている。
そして、第１の導電端子１２の接続端１２１及び第２の導電端子１３の接続端１３１が、それぞれ透孔２４の両端からコンセントユニット２内へ挿入され、これにより、コンセントユニット２は接続端１２１，１３１に支持されて座体１の凹部１１内で自由に回動できる。
【００１０】
また、第１の導電端子１２の接続端１２１には活線接続部となる第１の差込片２２が軸着されると共に、第２の導電端子１３の接続端１３１には接地線接続部となる第２の差込片２３が軸着される。
この結果、第１の差込片２２及び第２の差込片２３は、それぞれ第１の導電端子１２及び第２の導電端子１３に電気的に接続されると共に、コンセントユニット２に連動して回動するようになっている。
【００１１】
この多穴コンセントを使用する際は、図３及び図４に示すように、コンセントユニット２の差込口２５を介して第１の差込片２２及び第２の差込片２３にプラグＢの刃を挿入するのであるが、複数の大型のプラグＢを隣接する差込口２５に差し込む場合は、コンセントユニット２を回動させてプラグＢを互いに異なる方向から挿入すれば、互いに干渉しあって差込口２５が遮蔽されることがない。
また、プラグＢの刃を差込口２５に差し込んで、その奥部に配置された第１の差込片２２及び第２の差込片２３にそれぞれ挿入すると、プラグＢの刃は第１の導電端子１２及び第２の導電端子１３に導通され、電源プラグ１４を電源に差し込んだ状態では、電流は活線である第１の導電端子１２から第１の差込片２２を介してプラグＢの活線端に送られ、プラグＢの接地端から第２の差込片２３を介して接地線である第２の導電端子１３に回流し、回路を形成する。
【実施例２】
【００１２】
図５及び図６は実施例２を示す。
この多穴コンセントは、座体３と、座体３上に回動自在に取り付けた２個のコンセントユニット３４を備える。
座体３に設けられた凹部３１、第１の導電端子３２、第２の導電端子３３、接続端３２１，３３１の構造、及び、コンセントユニット３４に設けられた第１の差込片３５、第２の差込片３６の構造は、実施例１の多穴コンセントのものとほぼ同様なので、詳細な説明は省略する。
【００１３】
座体３には、各凹部３１の奥部に臨んだ位置に、それぞれ座体３の外部から押圧操作できるスイッチ３７が設置され、スイッチ３７には第１の接点３７１、第２の接点３７２及び第３の接点３７３が設けられる。
そして、第１の接点３７１は第１の導電端子３２の接続端３２１に接続され、第２の接点３７２はコンセントユニット３４内の第１の差込片３５に接続され、第３の接点３７３は第２の導電端子３３の接続端３３１及びコンセントユニット３４内の第２の差込片３６に接続されている。
【００１４】
また、第２の接点３７２と第３の接点３７３との間には表示ランプ３７４が介在され、第２の接点３７２に接触片３７５の一端が接続されている。
接触片３７５の他端は、スイッチ３７が押圧されると第１の接点３７１に接触し、スイッチ３７への押圧が解除されると、第１の接点３７１から離脱し、これにより、第１の接点３７１と第２の接点３７２間の導通状態を制御するようになっている。
【００１５】
コンセントユニット３４の第１の差込片３５及び第２の差込片３６にプラグＢの刃を差し込み、スイッチ３７を押圧すると、接触片３７５の他端が第２の接点３７２に接触し、第１の接点３７１と第２の接点３７２が接触片３７５を介して導通される。
すると、表示ランプ３７４が点灯して導通状態であることを表示し、第１の導電端子３２が、第１の接点３７１、接触片３７５、第２の接点３７２、及び第１の差込片３５を介してプラグＢの活線端に接続され、プラグＢの接地端は第２の差込片３６を介して第２の導電端子３３に接続され、回路が形成される。
【００１６】
実施例２においても、多穴コンセントに大型のプラグＢを複数差し込むときには、コンセントユニット３４を回動させて異なる方向からプラグＢの刃を挿入することにより、プラグＢどうしが干渉し合うのを防止できる。
なお、実施例１及び実施例２では、全てのコンセントユニットを回動自在としてあるが、隣接するコンセントユニットの内の一方のみを回動自在とすることで、プラグどうしの干渉を防ぐことができる。
また、コンセントユニットは複数であれば任意数設置することが可能である。
【図面の簡単な説明】
【００１７】
【図１】実施例１に係る多穴コンセントの内部機構の斜視図。
【図２】実施例１に係るコンセントユニットの一部破断斜視図。
【図３】実施例１に係る多穴コンセントの使用状態を示す斜視図。
【図４】実施例１に係る多穴コンセントの導通回路を示す模式図。
【図５】実施例２に係る多穴コンセントの内部機構の斜視図。
【図６】実施例２に係る多穴コンセントの導通回路を示す模式図。
【図７】従来の多穴コンセントの斜視図。
【符号の説明】
【００１８】
１，３  座体
１１，３１  凹部
１２，３２  第１の導電端子
１２１，３２１  接続端
１３，３３  第２の導電端子
１３１，３３１  接続端
１４  電源プラグ
２，３４  コンセントユニット
２１  位置決め片
２２，３５  第１の差込片
２３，３６  第２の差込片
２４  透孔
２５  差込口
３７  スイッチ機構
３７１  第１の接点
３７２  第２の接点
３７３  第３の接点
３７４  表示ランプ
３７５  接触片
Ｂ  プラグ
【図１】
0003101067.tif 000003
【図２】
0003101067.tif 000004
【図３】
0003101067.tif 000005
【図４】
0003101067.tif 000006
【図５】
0003101067.tif 000007
【図６】
0003101067.tif 000008
【図７】
0003101067.tif 000009